(57)【要約】【課題】血流上昇効果および美容効果を高めることができて、肌のトラブルが生じにくい美容装置を提供する。【解決手段】美容装置は、表面に凸部分１４ｂを有する施術板１４と、この施術板１４を回転駆動する施術用モータ３５と、施術板１４に電流を供給する電源部とを備えている。施術用モータ３５で回転させた施術板１４の凸部分１４ｂをユーザの肌に接触させることにより、その肌の表面部分よりも深い部分に刺激を与えることができる。また、ユーザの肌に例えば薬液を塗った後、施術板１４の凸部分１４ｂを薬液に接触させて、電源部が施術板１４に電流を供給することにより、薬液の有効成分をユーザの肌の奥まで浸透させることができる。【選択図】図５
2013102931.tif 000002
【特許請求の範囲】
【請求項１】
表面に凹凸を有する導電体と、
上記導電体を回転駆動する回転駆動装置と、
上記導電体に電流を供給する電源部と
を備えたことを特徴とする美容装置。
【請求項２】
請求項１に記載の美容装置において、
上記導電体内には磁石が配置されていることを特徴とする美容装置。
【請求項３】
請求項１または２に記載の美容装置において、
上記導電体の上記凸の部分はクッション性を有していることを特徴とする美容装置。
【請求項４】
請求項１から３までのいずれか一項に記載の美容装置において、
上記導電体の回転速度を変更するための回転速度変更手段を備えたことを特徴とする美容装置。
【請求項５】
請求項１から４までのいずれか一項に記載の美容装置において、
上記導電体の上記凸の部分の高さは変更可能になっていることを特徴とする美容装置。
【請求項６】
請求項１から５までのいずれか一項に記載の美容装置において、
上記回転駆動装置を支持する支持部と上記回転駆動装置との間にはローラが設けられていることを特徴とする美容装置。
【発明の詳細な説明】
【技術分野】
【０００１】
本発明は美容装置に関する。
【背景技術】
【０００２】
従来、美容装置としては、特開２０１０−１７３２５号公報(特許文献１)に開示されているように、ユーザの肌に接触させるべきヘッド部に振動板を搭載したものがある。この振動板を超音波振動させることで、肌に物理的な刺激を与えることができる。
【０００３】
また、他の美容装置としては、特開２０１１−４１７０５号公報(特許文献２)に示されているように、ユーザの肌に接触させるべきヘッド部にヒータを搭載したものがある。このヒータの熱をヘッド部に伝えることにより、ヘッド部に接触する肌の表面温度を上昇させることができる。
【先行技術文献】
【特許文献】
【０００４】
【特許文献１】特開２０１０−１７３２５号公報
【特許文献２】特開２０１１−４１７０５号公報
【発明の概要】
【発明が解決しようとする課題】
【０００５】
しかしながら、特開２０１０−１７３２５号公報の美容装置は、超音波振動をユーザの肌に付与しても、肌の表面部分の血流しか上昇させることができない。
【０００６】
また、特開２０１０−１７３２５号公報の美容装置も、ヒータの熱をヘッド部を介してユーザの肌に伝えても、肌の表面部分の血流しか上昇しない。
【０００７】
したがって、特開２０１０−１７３２５号公報，特開２０１０−１７３２５号公報の美容装置に（以下、「従来の美容装置」と言う。）は、血流上昇効果が充分に得られないという問題がある。
【０００８】
また、上記従来の美容装置を長時間使用し続ければ、肌の表面部分より深い部分の温度を上げれるかもしれないが、上記従来の美容装置の使用時間は１０分程度に限られているため、上記従来の美容装置を１０分を越えて長時間使用すると、肌のトラブルにつながる危険性がある。したがって、上記従来の美容装置による想定時間内の施術では充分な美容効果が得られないという問題がある。
【０００９】
また、上記従来の美容装置は、薬液が混ざった水溶性のジェルや、水溶性の薬液を肌に塗った状態で使用すると、そのジェルや薬液が伸びにくいなどの原因で、ヘッド部が肌の一部と接触している時間が長くなることがある。このような場合、敏感肌のユーザや、肌が弱いユーザにおいて、肌がヒリヒリしたり、肌が赤く腫れたりするといった問題が起きてしまう。
【００１０】
そこで、本発明の課題は、血流上昇効果および美容効果を高めることができて、肌のトラブルが生じにくい美容装置を提供することにある。
美容装置を提供することにある。
【課題を解決するための手段】
【００１１】
上記課題を解決するため、本発明の美容装置は、
表面に凹凸を有する導電体と、
上記導電体を回転駆動する回転駆動装置と、
上記導電体に電流を供給する電源部と
を備えたことを特徴としている。
【００１２】
上記構成によれば、上記導電体の表面をユーザの肌に接触させると共に、回転駆動装置が導電体を回転駆動することにより、導電体の表面の凹凸で上記肌の表面部分より深い部分に刺激を与えて、上記肌の表面部分より深い部分の血流を上昇させることができる。その結果、血流上昇効果を充分に得ることができる。
【００１３】
また、上記血流上昇効果を充分に得ることができるので、美容効果を高めることができる。
【００１４】
また、上記血流上昇効果を充分に得ることができるので、ユーザの肌に導電体の表面に長時間接触さなくてもよい。したがって、上記肌のトラブルが生じにくいようにすることができる。
【００１５】
また、上記導電体の表面の凹凸でマッサージ効果が得られるので、ユーザをリラックスさせることができる。
【００１６】
また、ユーザの例えば顔の肌に、回転する導電体を接触させることにより、顔の筋肉に刺激を与えて、顔のリフトアップ効果が得られる。
【００１７】
また、ユーザの肌に例えば薬液を塗った後、導電体の表面を接触させる場合、導電体を回転させることにより、肌への薬液のなじみを良くすることができる。
【００１８】
また、その場合、電源部が導電体に電流を供給することにより、薬液の有効成分を肌の奥まで浸透させることができる。
一実施形態の美容装置では、
上記導電体内には磁石が配置されている。
【００１９】
上記実施形態によれば、上記導電体内に磁石があるので、この磁石の磁力により施術部位の血流をさらに上昇させることができる。
一実施形態の美容装置では、
上記導電体の上記凸の部分はクッション性を有している。
【００２０】
上記実施形態によれば、上記導電体の上記凸の部分はクッション性を有しているので、ユーザの肌に対する導電体の表面の当たりを心地良くすることができる。
【００２１】
一実施形態の美容装置は、
上記導電体の回転速度を変更するための回転速度変更手段を備えている。
【００２２】
上記実施形態によれば、上記導電体の回転速度を変更するための回転速度変更手段を備えているので、導電体の回転速度を調節して、施術部分に適切な刺激を与えることができる。
【００２３】
一実施形態の美容装置では、
上記導電体の上記凸の部分の高さは変更可能になっている。
【００２４】
上記実施形態によれば、上記導電体の凸の部分の高さは変更可能になっているので、導電体の表面の凹凸を激しくしたり、緩やかにしたりすることができる。したがって、上記導電体の表面の凹凸の程度を調整して、施術部分に適切な刺激を与えることができる。
【００２５】
一実施形態の美容装置では、
上記回転駆動装置を支持する支持部と上記回転駆動装置との間にはローラが設けられている。
【００２６】
上記実施形態によれば、上記回転駆動装置を支持する支持部と上記回転駆動装置との間にはローラが設けられているので、支持台に対して回転駆動装置をスムーズに移動させることができる。
【発明の効果】
【００２７】
本発明の美容装置は、表面に凹凸を有する導電体と、この導電体を回転駆動する回転駆動装置とを備えるので、回転する導電体の表面の凹凸でユーザの肌の表面部分より深い部分に刺激を与えることができる。したがって、上記肌の表面部分より深い部分の血流を上昇させることができる結果、血流上昇効果および美容効果を高めることができる。
【００２８】
また、上記血流上昇効果を高めることができることによって、ユーザの肌に導電体の表面に長時間接触さなくてもよいので、肌のトラブルが生じにくいようにすることができる。
【００２９】
また、上記導電体の表面の凹凸でマッサージ効果が得られるので、ユーザをリラックスさせることができる。
【００３０】
また、ユーザの例えば顔の肌に、回転する導電体を接触させることにより、顔の筋肉に刺激を与えて、顔のリフトアップ効果が得られる。
【００３１】
また、ユーザの肌に例えば薬液を塗った後、導電体の表面を接触させる場合、導電体を回転させることにより、肌への薬液のなじみを良くすることができる。
【００３２】
また、その場合、電源部が導電体に電流を供給することにより、薬液の有効成分を肌の奥まで浸透させることができる。
【図面の簡単な説明】
【００３３】
【図１】図１は本発明の一実施形態の美容装置の一使用例の模式図である。
【図２】図２は上記美容装置のヘッド部の模式平面図である。
【図３】図３は上記ヘッド部の模式側面図である。
【図４】図４は図３の一部の拡大図である。
【図５】図５は上記ヘッド部およびその周辺部の模式断面図である。
【図６】図６は上記美容装置の施術用モータおよびその周辺部の模式平面図である。
【図７】図７は上記美容装置のスクリューネジ、固定ネジおよびピニオンの模式則面図である。
【図８】図８は上記美容装置の制御ブロック図である。
【図９】図９は上記美容装置の要部の模式図である。
【発明を実施するための形態】
【００３４】
以下、本発明の美容装置を図示の実施の形態により詳細に説明する。
【００３５】
図１は、本発明の一実施形態の美容装置の一使用例を示す模式図である。
【００３６】
上記美容装置は、ユーザが持つ本体部３０と、この本体部３０の一端に回転可能に設けられたヘッド部１０とを備えている。
【００３７】
上記本体部３０の正面には操作スイッチ部２０を設けている。この操作スイッチ部２０は、電源スイッチ２１、回転レベルボタン２２、モード選択ボタン２３およびイオン導入選択ボタン２４などを有している。上記電源スイッチ２１をＯＮにして、イオン導入選択ボタン２４を押すと、後述するイオン導入を行うことができるようになっている。また、上記回転レベルボタン２２を押して、ヘッド部１０の回転レベルを選択することができるようにもなっている。また、上記モード選択ボタン２３を押して、ヘッド部１０の表面形状を切り替えることができるようにもなっている。また、上記本体部３０の一方の側部には、イオン導入を行うための身体用電極としての補助電極３１を設けている。そして、上記本体部３０内には制御部４０（図８参照）を設置している。なお、上記回転レベルボタン２２は回転速度変更手段の一例である。
【００３８】
上記ヘッド部１０は、金属等の導電性を備えた材質(例えばチタン、金または銀など)からなり、ユーザの肌６０に接触させたり、ユーザの肌６０上に置いた薬剤含浸シート(不織布、紙、コットン等)に接触させたりする部分である。また、上記薬剤含浸シートにヘッド部１０を接触させることにより、肌６０に対してイオン導入などを行えるようになっている。
【００３９】
上記イオン導入は、制御部４０により、ヘッド部１０の表面から突出する凸部分１１(図２参照)と、補助電極部３１との間に電圧を印加し、ヘッド部１０下の肌６０に微弱電流(数ｍＡ程度)を流すことで行われ、薬剤含浸シートが含む薬剤の有効成分を肌６０の深部に浸透させることができる。また、図示はしていないが、凸部分１１と補助電極部３１は電気回路で接続されている。この凸部分１１がユーザの肌６０に接触し、かつ、補助電極３１がユーザの手指６１に接触するとき、凸部分１１と補助電極３１との間にユーザの体を介して通電し、ユーザの肌６０に微弱電流を流すことができる仕組みである。このとき、上記手指６１を抵抗体として考えると、一つの回路が形成されていることとなる。仮に、上記補助電極３１にプラスの電荷がかかっているとすれば、凸部分１１にはマイナスの電荷がかかっている。この場合、肌６０付近をマクロな視点で見てみると、肌６０は補助電極３１からのプラスの電荷を帯びている。そして、上記薬剤含浸シートが含む薬剤は凸部分１１からのマイナスの電荷を帯びているため、薬剤の有効成分が肌６０に引かれて肌６０に深く浸透していく。
【００４０】
図２は、上記美容装置のヘッド部１０を上方から見た模式図である。また、図３は、上記美容装置のヘッド部１０を側方から見た模式図である。
【００４１】
上記ヘッド部１０は、図２，図３に示すように、表面に凹凸を有している。より詳しく説明すると、上記ヘッド部１０の表面であるヘッド部底面１２からは、施術板１４(図５参照)の一部である複数の凸部分１４ｂが突出している。この複数の凸部分１４ｂは円形状に略等間隔に配列されている。上記ヘッド部底面１２に対する凸部分１４ｂの高さは１ｍｍ〜５ｍｍの範囲内において調整可能になっている。なお、上記施術板１４は導電体の一例である。
【００４２】
図４は、上記凸部分１４ｂおよびその周辺部の模式図である。
【００４３】
上記各凸部分１４ｂ内には粒状の磁石１３を配置している。この磁石１３は、例えばhttp://www.kekkou.com/category5/entry48.htmlで開示されていように、血行改善を促す素材(例えばゲルマニウム、チタンまたはマンガンなど)が望ましい。
【００４４】
また、上記ヘッド部１０の凸部分１４ｂは良好なクッション性、導電性を有している。この凸部分１４ｂの素材には、伸縮性が高く、導電性が高いゴム素材を用いるのが望ましい。このようなゴム素材としては、例えばhttp://www.nanocarbon.jp/various_uses/stretchable_conductor.htmlで開示されたゴム素材がある。
【００４５】
図５は、上記ヘッド部１０およびその周辺部の模式断面図である。
【００４６】
上記美容装置は、取付台３６と、この取付台３６に図中上下方向に移動可能に取り付けられた小型の施術用モータ３５と、この施術用モータ３５の回転出力を受けて回転する施術板１４とを備えている。なお、上記取付台３６は支持台の一例であり、施術用モータ３５は回転駆動装置の一例である。
【００４７】
上記施術板１４は、円板形状の円板部１４ａと、この円板部１４ａの装置外部側の表面に設けられた凸部分１４ｂと、円板部１４ａの中心部から装置内部側に向かって突出する円柱部１４ｃと、円板部１４ａの周縁部から装置内部側に向かって突出する円筒部１４ｄとを備えている。この円板部１４ａ、円柱部１４ｃおよび円筒部１４ｄを、良好なクッション性、導電性を有する材料で一体形成して、凸部分１４ｂが良好なクッション性、導電性を有するようにしている。また、上記円柱部１４ｃには、施術用モータ３５が有するモータ軸３７を連結して、施術板１４がモータ軸３７と一体に回転するようになっている。また、上記円筒部１４ｄの装置内部側の端部(円板部１４ａ側とは反対側の端部)の内周面にはリング１５を固定している。また、上記施術板１４はヘッド部１０に対してスプライン結合している。これにより、上記施術板１４は、ヘッド部１０に対してモータ軸３７の軸方向(以下、「上下方向」と言う。)に移動可能になっていると共に、ヘッド部１０と一体に回転可能になっている。
【００４８】
図６は、上記施術用モータ３５およびその周辺部を上方から見た模式図である。
【００４９】
上記施術用モータ３５は四角柱形状の本体部４２を有し、取付台３６に設けられた四角柱形状の凹部４５内に本体部４２が入っている。この凹部４５の側面には複数の円柱形状のローラ３８を設けて、施術用モータ３５の本体部４２が複数のローラで挟持されるようにしている。これにより、上記施術用モータ３５は、施術板１２の上下方向の移動に伴って上下方向にスムーズに移動できるようになっている。
【００５０】
上記ローラ３８の素材としては、例えばプラスチック、スチールまたはゴムなどが挙げられる。
【００５１】
図７は、上記スクリューネジ３３、固定ネジ３２およびピニオン４４を側方から見た模式図である。
【００５２】
図５，図７に示すように、上記施術板１４と取付台３６との間には、上下方向に移動可能に筒状のスクリューネジ３３を配置している。このスクリューネジ３３内には円柱部１４ｃおよびモータ軸３７が入っている。また、上記スクリューネジ３３の施術板１４側の端部にはフランジ部３３ａを設けている。このフランジ部３３ａは、リング１５の内径よりも大きい外径を有し、円板部１４ａの装置内部側の表面に当接している。また、上記スクリューネジ３３の外周面には、フランジ部３３ａ側の端部から上下方向の中央部にわたって雄ネジ部３３ｂを設けると共に、施術用モータ３５側の端部にギヤ部３３ｃを設けている。また、上記雄ネジ部３３ｂとギヤ部３３ｃとの間は平滑な曲面になっている。
【００５３】
また、上記スクリューネジ３３の上下方向の中央部の周囲には、取付台３６に対して移動できないように固定ネジ３２を配置している。この固定ネジ３２は、取付台３６に対して移動不可になっており、スクリューネジ３３の外周面の雄ネジ部３３ｂが螺合する雌ネジ部３２ａを内周面に有している。
【００５４】
また、上記取付台３６上には、モータ軸４３を有する凸部分上下移動用モータ３４を設置している。そして、上記モータ軸４３の先端部にはピニオン４４を固定していて、このピニオン４４がスクリューネジ３３の外周面のギヤ部３３ｃに歯合している。
【００５５】
また、上記ヘッド部１０は有底円筒形状になっており、複数の凸部分１４ｂに対応する複数の円柱形状の貫通穴１０ａをヘッド部１０の底部に設けている。上記凸部分１４ｂは上下方向に移動可能に嵌合しており、凸部分上下移動用モータ３４の駆動で上下方向に移動する。
【００５６】
より詳しく説明すると、上記凸部分上下移動用モータ３４の駆動でピニオン４４が一方向に回転することにより、スクリューネジ３３が回転して取付台３６側に移動し、スクリューネジ３３のフランジ部３３ａが円板部１４ａの装置内部側の表面から離間する。そして、上記スクリューネジ３３が回転して取付台３６側にさらに移動すると、スクリューネジ３３のフランジ部３３ａが、リング１５に当接し、リング１５を取付台３６側へ押す。これにより、上記施術板１４がリング１５と共に取付台３６側に移動して、ヘッド部底面１２に対する凸部分１４ｂの高さが低くなる。そして、上記スクリューネジ３３が取付台３６側にさらに移動すると、ヘッド部底面１２と凸部分１４ｂの先端とが同一平面内に収まる。すなわち、上記ヘッド部底面１２に対する凸部分１４ｂの高さをゼロになる。
【００５７】
また、上記ヘッド部底面１２に対する凸部分１４ｂの高さがゼロになった状態から、ピニオン４４が他方向に回転させると、スクリューネジ３３が回転して装置外部側へ移動し、スクリューネジ３３のフランジ部３３ａがリング１５から離間する。そして、上記スクリューネジ３３が回転して装置外部側へさらに移動すると、スクリューネジ３３のフランジ部３３ａが、円板部１４ａの装置内部側の表面に当接し、円板部１４ａをヘッド部１０側へ押す。これにより、上記施術板１４がヘッド部１４に移動して、ヘッド部底面１２に対する凸部分１４ｂの高さが高くなる。
【００５８】
なお、図示はしていないが、上記スクリューネジ３３のフランジ部３３ａにはスラスト軸受のような構造を設けて、円板部１４ａとフランジ部３３ａの間の摩擦の低減を図っている。また、上記施術板１４の上下方向の可動域は、円板部１４ａの貫通穴１０ａ側の表面に対する凸部分１４ｂの高さ以上になるように予め設定されている。
【００５９】
図８は上記美容装置の制御ブロック図である。
【００６０】
上記制御部４０には、操作スイッチ部２０、凸部分上下移動用モータ３４、施術用モータ３５および電源部５０などを接続している。上記操作スイッチ部２０の電源スイッチ２１、回転レベル選択ボタン２２、モード選択ボタン２３およびイオン導入選択ボタン２４からの信号に基づいて、制御部４０は、凸部分上下移動用モータ３４および施術用モータ３５などを制御する。例えば、上記電源スイッチ２１をＯＮにした状態で、回転レベル選択ボタン２２の操作で凸部分１４ｂの回転レベルを選択すると、この選択した回転レベルに対応する操作信号が制御部４０に伝達されて、制御部４０がその操作信号に応じて凸部分１４ｂの回転レベルを制御する。ここで、上記ヘッド部１０の回転レベルは、ローレベル、ミドルレベルおよびハイレベルの３段階の中から選択できるようになっている。
【００６１】
上記電源部５０は、美容装置の電源を必要とする各部分に電源を印加するものであり、乾電池または据え置き式充電池からなる。
【００６２】
なお、図示しないが、上記制御部４０はイオン導入回路を有し、このイオン導入回路を介して直流電流、交流電流またはパルス電流などの微弱電流(数ｍＡ程度)を施術板１４に供給可能になっている。
【００６３】
図９は、上記美容装置の要部の構成を説明するための模式図である。
【００６４】
上記制御部４０は、電源部５０と電気配線４１Ｃを介して電気的に接続されており、電気配線４１Ｂを介して施術用モータ３５に電流を供給したり、電気配線４１Ａおよび電極３９とを介して凸部分１４ｂに電流を供給したりする。上記電極３９は、例えば、カーボンを用いてリング状に形成されて、施術板１４の回転位置に関係なく、施術板１４の一部に接触できるようになっている。
【００６５】
なお、図示しないが、上記制御部４０は電気配線を介して凸部分上下移動用モータ３４にも電気的に接続されている。
【００６６】
上記構成の美容装置を使用する場合、ユーザが電源スイッチ２１をＯＮにすることにより、凸部分１４ｂがデフォルト回転レベル(ミドルレベル)で回転する。そして、ユーザは、デフォルト回転レベルが所望回転レベルであれば、回転する凸部分１４ｂで施術部位に押し当てる。一方、ユーザは、デフォルト回転レベルが所望回転レベルでなければ、回転レベル選択ボタン２２を操作して、凸部分１４ｂの回転レベルを所望回転レベルに変更した後、回転する凸部分１４ｂを施術部位に押し当てる。
【００６７】
このように、上記回転する凸部分１４ｂを施術部位に押し当てるので、施術部位の筋肉組織の深部まで圧力を与えて、施術部位の筋肉組織を活性化することができる。したがって、上記ヘッド部１０は、表面が平らなヘッド部に比べて、施術部位の筋肉組織の深部の血流を上昇させることができる。その結果、上記施術部位において充分な血流上昇効果が得られる。
【００６８】
また、上記施術部位において充分な血流上昇効果が得られるので、美肌効果を増大させることができる。
【００６９】
また、上記凸部分１４ｂでマッサージ効果が得られるので、ユーザをリラックスさせることができる。
【００７０】
また、上記施術部位において充分な血流上昇効果が得られるので、施術時間を短くすることができる。したがって、上記施術部分の肌６０のトラブルが発生する可能性を低減できる。
【００７１】
また、上記施術部位の筋肉を大きく刺激できるので、リフトアップ効果やマッサージ効果を得ることができる。
【００７２】
また、上記凸部分１４ｂで肌６０の血流を上昇させているとき、イオン導入選択ボタン２４を押すことより、制御部４０のイオン導入回路が動作し、制御部４０から、電極３９および電気配線４１Ａを介して凸部分１４ｂに微弱電流が供給される。したがって、上記凸部分１４ｂと肌６０との間に薬剤を介在させておけば、肌６０に刺激を与えると共に、薬剤の有効成分を肌６０の深部に浸透させることができる。その結果、美肌効果をさらに増大させることができる。
【００７３】
また、上記薬剤の有効成分を肌６０の深部に浸透させるための時間が経過した場合、イオン導入選択ボタン２４を押すことにより、凸部分１４ｂへの微弱電流の供給を止め、回転する凸部分１４ｂで物理的な刺激だけを肌６０に与え続けることもできる。
【００７４】
また、上記凸部分１４ｂは回転するので、薬液が混ざったジェルを容易に伸ばしたり、肌６０への薬液のなじみを向上させることができる。
【００７５】
また、上記凸部分１４ｂ内には磁石１３が入っているので、この磁石１３の磁力により施術部位の血流をさらに上昇させることができる。
【００７６】
また、上記凸部分１４ｂはクッション性を有しているので、ユーザの肌６０に当てたときに、ユーザが心地よいと感じるようにすることができる。
【００７７】
また、ユーザの肌６０が弱肌または敏感肌である場合、回転レベル選択ボタン２２を操作することで、凸部分１４ｂの回転レベルをローレベルにして、肌６０への過度の刺激が加わるのを防ぐことができる。したがって、上記弱肌または敏感肌のユーザに与えるストレスを低減できる。
【００７８】
一方、ユーザの肌６０が弱肌または敏感肌でなければ、回転レベル選択ボタン２２を操作することで、凸部分１４ｂの回転レベルをハイレベルにして、肌６０に大きな刺激を与えることができる。
【００７９】
また、上記回転レベル選択ボタン２２を操作することで、凸部分１４ｂの回転レベルを調節できるので、顔の細かい凹凸の施術部位にあわせた施術ができる。具体的に言えば、鼻周辺、口周り周辺のホウレイ線、頬、目周辺、眉間などのように比較的柔らかい施術部位には、回転レベルをローレベルにした凸部分１４ｂで適切な刺激を与えることができる一方、顎や額などように比較的硬い施術部位には、回転レベルをハイレベルにした凸部分１４ｂで適切な刺激を与えることができる。
【００８０】
また、ユーザは、その日の肌６０の状態に応じて、凸部分１４ｂの回転レベルを調節して、その状態に応じた刺激を肌６０に与えることができる。
【００８１】
また、ユーザの肌６０が弱肌または敏感肌である場合、モード選択ボタン２３を操作することで、ヘッド部底面１２に対する凸部分１４ｂの高さを低くして、肌６０に過度の刺激が加わるのを確実に防ぐことができる。
【００８２】
一方、ユーザの肌６０が弱肌または敏感肌でなければ、モード選択ボタン２３を操作することで、ヘッド部底面１２に対する凸部分１４ｂの高さを高くして、肌６０に大きな刺激を与えることができる。
【００８３】
また、上記モード選択ボタン２３を操作することで、ヘッド部底面１２に対する凸部分１４ｂの高さを調節できるので、顔の細かい凹凸の施術部位にあわせた施術ができる。具体的に言えば、鼻周辺、口周り周辺のホウレイ線、頬、目周辺、額、眉間などのように表面形状に凹凸が比較的少ない施術部位には、ヘッド部底面１２に対する高さを比較的高くした凸部分１４ｂで適切な刺激を与えることができる一方、顎などように表面形状に凹凸が比較的多い施術部位には、ヘッド部底面１２に対する高さを比較的低くした凸部分１４ｂで適切な刺激を与えることができる。
【００８４】
また、上記施術用モータ３５の本体部４２と取付台３６の凹部４５の側面との間にはローラ３８があるので、取付台３６に対して施術用モータ３５を上下方向にスムーズに移動させることができる。
【００８５】
上記実施形態では、施術板１４内には粒状の磁石１３を配置していたが、施術板１４内にリング状の磁石を配置してもよい。
【００８６】
上記実施形態では、円柱形状のローラ３８を用いていたが、例えば円板状のローラを用いてもよい。
【００８７】
上記実施形態では、スクリューネジ３３のフランジ部３３ａにスラスト軸受のような構造を設けていたが、スクリューネジ３３のフランジ部３３ａにスラスト軸受のような構造を設けずに、円板部１４ａとフランジ部３３ａとの間に潤滑剤を入れたり、フランジ部３３ａを滑り性の良い材料で形成したりしてもよい。
【００８８】
上記実施形態では、円筒部１４ｄの装置内部側の端部の内周面にはリング１５を固定していたが、円筒部１４ｄの装置内部側の端部の内周面に径方向内側に突出する爪を設けて、この爪がフランジ部３３ａと係合するようにしてもよい。
【００８９】
上記実施形態では、施術板１４を凸部分上下移動用モータ３４の駆動で上下方向に移動させていたが、施術板１４を手動で上下方向に移動できるようにしてもよい。
【００９０】
上記実施形態では、凸部分１４ｂの回転レベルは、ローレベル、ミドルレベルおよびハイレベルの３段階の中から選択できるようになっていたが、ローレベルおよびハイレベルの２段階の中から選択できるようにしてもよい。あるいは、凸部分１４ｂの回転レベルは無段階設定で選択できるようにしてもよい。すなわち、ユーザが凸部分１４ｂの回転レベルを任意に選択できるようにしてもよい。
【００９１】
上記実施形態において、施術部位に合わせたモード(例えば頬モード、額モードおよび目周辺モードなど)で凸部分１４ｂを回転させることができるようにしたり、施術者の肌状態にあわせたモード(例えば敏感肌モードやノーマル肌モードなど)で凸部分１４ｂを回転させることができるようにしたりしてもよい。このようにする場合、各モードにおいて、凸部分１４ｂの回転レベルを微調整できるようにしてもよい。
【００９２】
上記実施形態では、乾電池または据え置き式充電池からなる電源部５０を用いて、施術板１４に電流を供給していたが、例えばＡＣ(交流)アダプターを用いて、施術板１４に電流を供給できるようにしてもよい。
【００９３】
上記実施形態において、施術板１４と同様に、伸縮性が高く、導電性が高いゴム素材でヘッド部１０を形成してもよい。
【００９４】
本発明の具体的な実施形態について説明したが、この発明は上記実施形態に限定されるものではなく、本発明の範囲内で種々変更して実施することができる。
【符号の説明】
【００９５】
１０…ヘッド部
１２…ヘッド部底面
１３…磁石
１４…施術板
１４ａ…円板部
１４ｂ…凸部分
１４ｃ…円柱部
１４ｄ…円筒部
１５…リング
２０…操作スイッチ部
２１…電源スイッチ
２２…回転レベル選択ボタン
２３…モード選択ボタン
２４…イオン導入選択ボタン
３０…本体部
３１…補助電極
３２…固定ネジ
３２ａ…雌ネジ部
３３…スクリューネジ
３３ａ…フランジ部
３３ｂ…雄ネジ部
３３ｃ…ギヤ部
３４…凸部分上下移動用モータ
３５…施術用モータ
３６…取付台
３７，４３…モータ軸
３８…ローラ
３９…電極
４０…制御部
４１Ａ，４１Ｂ，４１Ｂ…電気配線
４２…本体部
４４…ピニオン
４５…凹部
５０…電源部
６０…肌
６１…手指
【図１】
2013102931.tif 000003
【図２】
2013102931.tif 000004
【図３】
2013102931.tif 000005
【図４】
2013102931.tif 000006
【図５】
2013102931.tif 000007
【図６】
2013102931.tif 000008
【図７】
2013102931.tif 000009
【図８】
2013102931.tif 000010
【図９】
2013102931.tif 000011